(57)【要約】【課題】  この発明は、投射映像の大きさをスクリーンサイズに応じた大きさに自動的に調整することができるようになる投射型映像表示装置を提供することを目的とする。【解決手段】  投射型映像表示装置において、輝度を測定するためのラインセンサと、ラインセンサの検出信号に基づいて、投射映像の大きさをスクリーンサイズに適した大きさに自動的に調整するための調整手段とを備えている。調整手段は、投射映像を所定ステップ分ずつズームアップさせる毎に、投射映像の輪郭付近において投射映像の輪郭の内側と外側の輝度とをラインセンサの検出信号から検出し、検出した両輝度の差に基づいて、投射映像がスクリーンからはみ出たか否かを判別し、投射映像がスクリーンからはみ出たと判別した場合に、投射映像を所定ステップ分だけズームダウンさせる。【選択図】  図１
2005114902.tif 000002
【特許請求の範囲】
【請求項１】
輝度を測定するためのラインセンサと、ラインセンサの検出信号に基づいて、投射映像がスクリーン内に入っている状態にある場合に、投射映像の大きさをスクリーンサイズに適した大きさに自動的に調整するための調整手段とを備えており、
調整手段は、
スクリーン上に投射された投射映像の輪郭付近において投射映像の輪郭の内側と外側の輝度とをラインセンサの検出信号から検出し、検出した両輝度の差を算出して、得られた差を基準値として保持する第１手段、
投射映像を所定ステップ分だけズームアップさせるとともに、ズームアップされた投射映像の輪郭付近において投射映像の輪郭の内側と外側の輝度とをラインセンサの検出信号から検出し、検出した両輝度の差を算出する第２手段、
第２手段によって算出した輝度差と上記基準値との差が所定値を越えたか否かを判別する第３手段、
第２手段によって算出した輝度差と上記基準値との差が所定値を越えたと第３手段によって判別されるまで、上記第２手段による処理と上記第３手段による処理とを再度実行させる第４手段、および
第２手段によって算出した輝度差と上記基準値との差が所定値を越えたと第３手段によって判別された場合には、投射映像を上記所定ステップ分だけズームダウンさせ、このズームダウン後のズーム率をスクリーンサイズに応じたズーム率として保持させる第５手段、
を備えている投射型映像表示装置。
【請求項２】
輝度を測定するためのラインセンサと、ラインセンサの検出信号に基づいて、投射映像がスクリーン内に入っている状態にある場合に、投射映像の大きさをスクリーンサイズに適した大きさに自動的に調整するための調整手段とを備えており、
調整手段は、
スクリーン上に投射された投射映像の輪郭付近において投射映像の輪郭の内側と外側の輝度とをラインセンサの検出信号から検出し、検出した両輝度の差を算出して、得られた差を第１基準値として保持する第１手段、
投射映像を１ステップ分より大きいｍステップ分だけズームアップさせるとともに、ズームアップされた投射映像の輪郭付近において投射映像の輪郭の内側と外側の輝度とをラインセンサの検出信号から検出し、検出した両輝度の差を算出する第２手段、
第２手段によって算出した輝度差と上記第１基準値との差が所定値を越えたか否かを判別する第３手段、
第２手段によって算出した輝度差と上記第１基準値との差が所定値を越えたと第３手段によって判別されるまで、上記第２手段による処理と上記第３手段による処理とを再度実行させる第４手段、
第２手段によって算出した輝度差と上記第１基準値との差が所定値を越えたと第３手段によって判別された場合には、第２手段によって算出された輝度差を第２基準値として保持し、投射映像をｍステップ分より小さいｎステップ分だけズームダウンさせるとともに、ズームダウンされた投射映像の輪郭付近において投射映像の輪郭の内側と外側の輝度とをラインセンサの検出信号から検出し、検出した両輝度の差を算出する第５手段、
第５手段によって算出した輝度差と、上記第２基準値との差が所定値を越えたか否かを判別する第６手段、
第５手段によって算出した輝度差と上記第２基準値との差が所定値を越えたと第６手段によって判別されるまで、上記第５手段による処理と上記第６手段による処理とを再度実行させる第７手段、および
第５手段によって算出した輝度差と上記第２基準値との差が所定値を越えたと第３手段によって判別された場合には、そのときのズーム率をスクリーンサイズに応じたズーム率として保持させる第８手段、
を備えている投射型映像表示装置。
【請求項３】
輝度を測定するためのラインセンサと、ラインセンサの検出信号に基づいて、投射映像がスクリーンの外側にはみ出ている状態にある場合に、投射映像の大きさをスクリーンサイズに適した大きさに自動的に調整するための調整手段とを備えており、
調整手段は、
スクリーン上に投射された投射映像の輪郭付近において投射映像の輪郭の内側と外側の輝度とをラインセンサの検出信号から検出し、検出した両輝度の差を算出して、得られた差を基準値として保持する第１手段、
投射映像を所定ステップ分だけズームダウンさせるとともに、ズームダウンされた投射映像の輪郭付近において投射映像の輪郭の内側と外側の輝度とをラインセンサの検出信号から検出し、検出した両輝度の差を算出する第２手段、
第２手段によって算出した輝度差と上記基準値との差が所定値を越えたか否かを判別する第３手段、
第２手段によって算出した輝度差と上記基準値との差が所定値を越えたと第３手段によって判別されるまで、上記第２手段による処理と上記第３手段による処理とを再度実行させる第４手段、および
第２手段によって算出した輝度差と上記基準値との差が所定値を越えたと第３手段によって判別された場合には、そのときのズーム率をスクリーンサイズに応じたズーム率として保持させる第５手段、
を備えている投射型映像表示装置。
【請求項４】
輝度を測定するためのラインセンサと、ラインセンサの検出信号に基づいて、投射映像がスクリーンの外側にはみ出ている状態にある場合に、投射映像の大きさをスクリーンサイズに適した大きさに自動的に調整するための調整手段とを備えており、
調整手段は、
スクリーン上に投射された投射映像の輪郭付近において投射映像の輪郭の内側と外側の輝度とをラインセンサの検出信号から検出し、検出した両輝度の差を算出して、得られた差を第１基準値として保持する第１手段、
投射映像を１ステップ分より大きいｍステップ分だけズームダウンさせるとともに、ズームダウンされた投射映像の輪郭付近において投射映像の輪郭の内側と外側の輝度とをラインセンサの検出信号から検出し、検出した両輝度の差を算出する第２手段、
第２手段によって算出した輝度差と上記第１基準値との差が所定値を越えたか否かを判別する第３手段、
第２手段によって算出した輝度差と上記第１基準値との差が所定値を越えたと第３手段によって判別されるまで、上記第２手段による処理と上記第３手段による処理とを再度実行させる第４手段、
第２手段によって算出した輝度差と上記第１基準値との差が所定値を越えたと第３手段によって判別された場合には、第２手段によって算出された輝度差を第２基準値として保持し、投射映像をｍステップ分より小さいｎステップ分だけズームアップさせるとともに、ズームアップされた投射映像の輪郭付近において投射映像の輪郭の内側と外側の輝度とをラインセンサの検出信号から検出し、検出した両輝度の差を算出する第５手段、
第５手段によって算出した輝度差と、上記第２基準値との差が所定値を越えたか否かを判別する第６手段、
第５手段によって算出した輝度差と上記第２基準値との差が所定値を越えたと第６手段によって判別されるまで、上記第５手段による処理と上記第６手段による処理とを再度実行させる第７手段、および
第５手段によって算出した輝度差と上記第２基準値との差が所定値を越えたと第３手段によって判別された場合には、投射映像を上記ｎステップ分だけズームダウンさせ、このズームダウン後のズーム率をスクリーンサイズに応じたズーム率として保持させる第８手段、
を備えている投射型映像表示装置。
【発明の詳細な説明】
【技術分野】
【０００１】
本発明は、液晶プロジェクタ等の投射型映像表示装置に関するものである。
【背景技術】
【０００２】
液晶プロジェクタとして、投射映像の大きさを変化させるためのズーム機能を備えたものがある。スクリーンに投射された映像が、スクリーンサイズに対して大きすぎる場合や、小さすぎる場合には、ユーザはリモコン等の操作部を操作して、映像全体をズームアップ（拡大）させたり、ズームダウン（縮小）させたりすることにより、投射映像の大きさをスクリーンサイズに応じた大きさに調整している。
【０００３】
このような操作は面倒であるので、投射映像の大きさをスクリーンサイズに応じた大きさに自動的に調整することができれば便利である。
【発明の開示】
【発明が解決しようとする課題】
【０００４】
この発明は、投射映像の大きさをスクリーンサイズに応じた大きさに自動的に調整することができるようになる投射型映像表示装置を提供することを目的とする。
【課題を解決するための手段】
【０００５】
請求項１に記載の発明は、輝度を測定するためのラインセンサと、ラインセンサの検出信号に基づいて、投射映像がスクリーン内に入っている状態にある場合に、投射映像の大きさをスクリーンサイズに適した大きさに自動的に調整するための調整手段とを備えており、調整手段は、スクリーン上に投射された投射映像の輪郭付近において投射映像の輪郭の内側と外側の輝度とをラインセンサの検出信号から検出し、検出した両輝度の差を算出して、得られた差を基準値として保持する第１手段、投射映像を所定ステップ分だけズームアップさせるとともに、ズームアップされた投射映像の輪郭付近において投射映像の輪郭の内側と外側の輝度とをラインセンサの検出信号から検出し、検出した両輝度の差を算出する第２手段、第２手段によって算出した輝度差と上記基準値との差が所定値を越えたか否かを判別する第３手段、第２手段によって算出した輝度差と上記基準値との差が所定値を越えたと第３手段によって判別されるまで、上記第２手段による処理と上記第３手段による処理とを再度実行させる第４手段、および第２手段によって算出した輝度差と上記基準値との差が所定値を越えたと第３手段によって判別された場合には、投射映像を上記所定ステップ分だけズームダウンさせ、このズームダウン後のズーム率をスクリーンサイズに応じたズーム率として保持させる第５手段を備えていることを特徴とする。
【０００６】
請求項２に記載の発明は、輝度を測定するためのラインセンサと、ラインセンサの検出信号に基づいて、投射映像がスクリーン内に入っている状態にある場合に、投射映像の大きさをスクリーンサイズに適した大きさに自動的に調整するための調整手段とを備えており、調整手段は、スクリーン上に投射された投射映像の輪郭付近において投射映像の輪郭の内側と外側の輝度とをラインセンサの検出信号から検出し、検出した両輝度の差を算出して、得られた差を第１基準値として保持する第１手段、投射映像を１ステップ分より大きいｍステップ分だけズームアップさせるとともに、ズームアップされた投射映像の輪郭付近において投射映像の輪郭の内側と外側の輝度とをラインセンサの検出信号から検出し、検出した両輝度の差を算出する第２手段、第２手段によって算出した輝度差と上記第１基準値との差が所定値を越えたか否かを判別する第３手段、第２手段によって算出した輝度差と上記第１基準値との差が所定値を越えたと第３手段によって判別されるまで、上記第２手段による処理と上記第３手段による処理とを再度実行させる第４手段、第２手段によって算出した輝度差と上記第１基準値との差が所定値を越えたと第３手段によって判別された場合には、第２手段によって算出された輝度差を第２基準値として保持し、投射映像をｍステップ分より小さいｎステップ分だけズームダウンさせるとともに、ズームダウンされた投射映像の輪郭付近において投射映像の輪郭の内側と外側の輝度とをラインセンサの検出信号から検出し、検出した両輝度の差を算出する第５手段、第５手段によって算出した輝度差と、上記第２基準値との差が所定値を越えたか否かを判別する第６手段、
第５手段によって算出した輝度差と上記第２基準値との差が所定値を越えたと第６手段によって判別されるまで、上記第５手段による処理と上記第６手段による処理とを再度実行させる第７手段、および第５手段によって算出した輝度差と上記第２基準値との差が所定値を越えたと第３手段によって判別された場合には、そのときのズーム率をスクリーンサイズに応じたズーム率として保持させる第８手段を備えていることを特徴とする。
【０００７】
請求項３に記載の発明は、輝度を測定するためのラインセンサと、ラインセンサの検出信号に基づいて、投射映像がスクリーンの外側にはみ出ている状態にある場合に、投射映像の大きさをスクリーンサイズに適した大きさに自動的に調整するための調整手段とを備えており、調整手段は、スクリーン上に投射された投射映像の輪郭付近において投射映像の輪郭の内側と外側の輝度とをラインセンサの検出信号から検出し、検出した両輝度の差を算出して、得られた差を基準値として保持する第１手段、投射映像を所定ステップ分だけズームダウンさせるとともに、ズームダウンされた投射映像の輪郭付近において投射映像の輪郭の内側と外側の輝度とをラインセンサの検出信号から検出し、検出した両輝度の差を算出する第２手段、第２手段によって算出した輝度差と上記基準値との差が所定値を越えたか否かを判別する第３手段、第２手段によって算出した輝度差と上記基準値との差が所定値を越えたと第３手段によって判別されるまで、上記第２手段による処理と上記第３手段による処理とを再度実行させる第４手段、および第２手段によって算出した輝度差と上記基準値との差が所定値を越えたと第３手段によって判別された場合には、そのときのズーム率をスクリーンサイズに応じたズーム率として保持させる第５手段を備えていることを特徴とする。
【０００８】
請求項４に記載の発明は、輝度を測定するためのラインセンサと、ラインセンサの検出信号に基づいて、投射映像がスクリーンの外側にはみ出ている状態にある場合に、投射映像の大きさをスクリーンサイズに適した大きさに自動的に調整するための調整手段とを備えており、調整手段は、スクリーン上に投射された投射映像の輪郭付近において投射映像の輪郭の内側と外側の輝度とをラインセンサの検出信号から検出し、検出した両輝度の差を算出して、得られた差を第１基準値として保持する第１手段、投射映像を１ステップ分より大きいｍステップ分だけズームダウンさせるとともに、ズームダウンされた投射映像の輪郭付近において投射映像の輪郭の内側と外側の輝度とをラインセンサの検出信号から検出し、検出した両輝度の差を算出する第２手段、第２手段によって算出した輝度差と上記第１基準値との差が所定値を越えたか否かを判別する第３手段、第２手段によって算出した輝度差と上記第１基準値との差が所定値を越えたと第３手段によって判別されるまで、上記第２手段による処理と上記第３手段による処理とを再度実行させる第４手段、第２手段によって算出した輝度差と上記第１基準値との差が所定値を越えたと第３手段によって判別された場合には、第２手段によって算出された輝度差を第２基準値として保持し、投射映像をｍステップ分より小さいｎステップ分だけズームアップさせるとともに、ズームアップされた投射映像の輪郭付近において投射映像の輪郭の内側と外側の輝度とをラインセンサの検出信号から検出し、検出した両輝度の差を算出する第５手段、第５手段によって算出した輝度差と、上記第２基準値との差が所定値を越えたか否かを判別する第６手段、第５手段によって算出した輝度差と上記第２基準値との差が所定値を越えたと第６手段によって判別されるまで、上記第５手段による処理と上記第６手段による処理とを再度実行させる第７手段、および第５手段によって算出した輝度差と上記第２基準値との差が所定値を越えたと第３手段によって判別された場合には、投射映像を上記ｎステップ分だけズームダウンさせ、このズームダウン後のズーム率をスクリーンサイズに応じたズーム率として保持させる第８手段を備えていることを特徴とする。
【発明の効果】
【０００９】
この発明によれば、投射映像の大きさをスクリーンサイズに応じた大きさに自動的に調整することができるようになる。
【発明を実施するための最良の形態】
【００１０】
以下、図面を参照して、この発明の実施例について説明する。
【実施例】
【００１１】
図１は、液晶プロジェクタの構成を示している。
【００１２】
入力映像信号は、Ａ／Ｄ変換器１を介して、映像信号処理回路２に送られる。映像信号処理回路２は、フレームメモリ３を備えている。映像信号処理回路２によって得られた信号は、図示しない表示パネルに送られる。
【００１３】
この液晶プロジェクタは、ＣＰＵ１０によって制御される。ＣＰＵ１０は、図示しないＲＯＭ、ＲＡＭを備えている。この液晶プロジェクタは、投射映像の大きさをスクリーンサイズに応じた大きさに自動的に調整する機能（画像サイズ自動調整機能という）を備えている。液晶プロジェクタには、画像サイズ自動調整機能を実現するために使用される単色ラインセンサ１２が設けられている。単色ラインセンサ１２は、ＣＰＵ１０に接続されている。
【００１４】
単色ラインセンサ１２は、図２に示すように、プロジェクタ本体の前面に、前向きで設けられている。単色ラインセンサ１２の前側には、図３に示すように、広角レンズ１３が設けられており、検出幅を広くしている。
【００１５】
図３に示すように、単色ラインセンサ１２は、スクリーン２０の幅の内側の範囲内の輝度を検出できるとともに、スクリーン２０の幅を越えた範囲の輝度とを測定することが可能となっている。
【００１６】
この液晶プロジェクタでは、動作モードとして、画像サイズ自動調整モードが用意されており、画像サイズ自動調整モードが設定された場合に、画像サイズ自動調整処理が行われる。以下、画像サイズ自動調整処理について説明する。
【００１７】
〔１〕画像サイズ自動調整処理の第１実施例についての説明
図４は、画像サイズ自動調整処理の手順を示している。
【００１８】
第１実施例による画像サイズ自動調整処理は、画像サイズ自動調整処理の開始時において、図３に示すように、投射映像３０がスクリーン２０の内側に入っていることを前提したものである。
【００１９】
映像が投射されているときに、画像サイズ自動調整モードが設定されると、ＣＰＵ１０は、単色ラインセンサ１２の検出信号に基づいて、投射映像の一側端付近において、当該一側端の内側（映像内部であって図３に符号Ｐａで示す位置）の輝度（映像内側輝度）Ａと、当該一側端の外側（映像の外部であって図３に符号Ｐｂで示す位置）の輝度（映像外側輝度）Ｂとを検出する（ステップ１）。映像内部の輝度は、映像外部の輝度に比べて非常に大きいので、投射映像の一側端の内側の輝度Ａと、外側の輝度Ｂとを検出することができる。
【００２０】
抽出された映像内側輝度Ａと、映像外側輝度Ｂとの差の絶対値α（＝｜Ａ−Ｂ｜）を算出して保持する（ステップ２）。次に、投射映像を所定ステップ分（この例では１ステップ分）だけズームアップ（拡大）させる（ステップ３）。つまり、映像信号を所定ステップ分（この例では１ステップ分）だけ拡大させる。
【００２１】
そして、ステップ１と同様に、投射映像の一側端付近において、当該一側端の内側の輝度（映像内側輝度）Ａと、当該一側端の外側の輝度（映像外側輝度）Ｂとを検出する（ステップ４）。抽出された映像内側輝度Ａと、映像外側輝度Ｂとの差の絶対値β（＝｜Ａ−Ｂ｜）を算出して保持する（ステップ５）。
【００２２】
そして、αとβとの差の絶対値（｜α−β｜）が所定の閾値Ｘより大きいか否かを判定する（ステップ６）。βとαとの差の絶対値が閾値Ｘ以内である場合には、投射映像がスクリーン２０より内側にあると判別し、ステップ３に戻る。このようにして、ステップ３〜ステップ６の処理を繰り返し行う。
【００２３】
このようにして投射映像がズームアップされていくことにより、投射映像がスクリーンの外側にはみ出すと、スクリーン上の輝度とスクリーン外側での輝度とは異なるため、αとβとの差の絶対値（｜α−β｜）が所定の閾値Ｘより大きくなり、ステップ６でＹＥＳとなるので、投射映像を上記所定ステップ分（この例では１ステップ分）だけズームダウン（縮小）させるとともに（ステップ７）、このズームダウン後のズーム率をスクリーンサイズに応じたズーム率として保持させる（ステップ８）。そして、今回の画像サイズ自動調整モードを終了する。以後、ステップ８で得られたズーム率で、入力映像が拡大されて表示されることになる。
【００２４】
〔２〕画像サイズ自動調整処理の第２実施例についての説明
図５は、画像サイズ自動調整処理の手順を示している。
【００２５】
第２実施例による画像サイズ自動調整処理は、画像サイズ自動調整処理の開始時において、図３に示すように、投射映像３０がスクリーン２０の内側に入っていることを前提したものである。
【００２６】
映像が投射されているときに、画像サイズ自動調整モードが設定されると、ＣＰＵ１０は、単色ラインセンサ１２の検出信号に基づいて、投射映像の一側端付近において、当該一側端の内側（映像内部であって図３に符号Ｐａで示す位置）の輝度（映像内側輝度）Ａと、当該一側端の外側（映像の外部であって図３に符号Ｐｂで示す位置）の輝度（映像外側輝度）Ｂとを検出する（ステップ１１）。
【００２７】
抽出された映像内側輝度Ａと、映像外側輝度Ｂとの差の絶対値α（＝｜Ａ−Ｂ｜）を算出して保持する（ステップ１２）。次に、投射映像をｍステップ分（ｍ＞１）だけズームアップ（拡大）させる（ステップ１３）。つまり、映像信号をｎステップ分だけ拡大させる。
【００２８】
そして、ステップ１１と同様に、投射映像の一側端付近において、当該一側端の内側の輝度（映像内側輝度）Ａと、当該一側端の外側の輝度（映像外側輝度）Ｂとを検出する（ステップ１４）。抽出された映像内側輝度Ａと、映像外側輝度Ｂとの差の絶対値β（＝｜Ａ−Ｂ｜）を算出する（ステップ１５）。
【００２９】
そして、αとβとの差の絶対値（｜α−β｜）が所定の閾値Ｘより大きいか否かを判定する（ステップ１６）。βとαとの差の絶対値が閾値Ｘ以内である場合には、投射映像がスクリーン２０より内側にあると判別し、ステップ１３に戻る。このようにして、ステップ１３〜ステップ１６の処理を繰り返し行う。
【００３０】
このようにして投射映像がズームアップされていくことにより、投射映像がスクリーンの外側にはみ出すと、スクリーン上の輝度とスクリーン外側での輝度とは異なるため、αとβとの差の絶対値（｜α−β｜）が所定の閾値Ｘより大きくなり、ステップ１６でＹＥＳとなる。
【００３１】
ステップ１６でＹＥＳとなると、投射映像をｍステップ分より小さいｎステップ分（ｎ＜ｍ）だけズームダウン（縮小）させる（ステップ１７）。そして、ステップ１１と同様に、投射映像の一側端付近において、当該一側端の内側の輝度（映像内側輝度）Ａと、当該一側端の外側の輝度（映像外側輝度）Ｂとを検出する（ステップ１８）。抽出された映像内側輝度Ａと、映像外側輝度Ｂとの差の絶対値γ（＝｜Ａ−Ｂ｜）を算出する（ステップ１９）。
【００３２】
そして、上記ステップ１５において最後に算出されたβと上記ステップ１９で算出されたγとの差の絶対値（｜β−γ｜）が所定の閾値Ｙより大きいか否かを判定する（ステップ２０）。βとγとの差の絶対値が閾値Ｙ以内である場合には、投射映像がスクリーン２０より外側にあると判別し、ステップ１７に戻る。このようにして、ステップ１７〜ステップ２０の処理を繰り返し行う。
【００３３】
このようにして投射映像がズームダウンされていくことにより、投射映像がスクリーンの内側に入ると、スクリーン上の輝度とスクリーン外側での輝度とは異なるため、βとγとの差の絶対値（｜β−γ｜）が所定の閾値Ｙより大きくなり、ステップ２０でＹＥＳとなる。ステップ２０でＹＥＳとなった場合には、現在のズーム率をスクリーンサイズに応じたズーム率として保持させる（ステップ２１）。そして、今回の画像サイズ自動調整モードを終了する。以後、ステップ２１で得られたズーム率で、入力映像が拡大されて表示されることになる。
【００３４】
〔３〕画像サイズ自動調整処理の第３実施例についての説明
図６は、画像サイズ自動調整処理の手順を示している。
【００３５】
第３実施例による画像サイズ自動調整処理は、画像サイズ自動調整処理の開始時において、図７に示すように、投射映像３０がスクリーン２０からはみ出していることを前提したものである。
【００３６】
映像が投射されているときに、画像サイズ自動調整モードが設定されると、ＣＰＵ１０は、単色ラインセンサ１２の検出信号に基づいて、投射映像の一側端付近において、当該一側端の内側（映像内部であって図７に符号Ｐａで示す位置）の輝度（映像内側輝度）Ａと、当該一側端の外側（映像の外部であって図７に符号Ｐｂで示す位置）の輝度（映像外側輝度）Ｂとを検出する（ステップ３１）。
【００３７】
抽出された映像内側輝度Ａと、映像外側輝度Ｂとの差の絶対値α（＝｜Ａ−Ｂ｜）を算出して保持する（ステップ３２）。次に、投射映像を所定ステップ分（この例では１ステップ分）だけズームダウン（縮小）させる（ステップ３３）。つまり、映像信号を所定ステップ分（この例では１ステップ分）だけ縮小させる。
【００３８】
そして、ステップ３１と同様に、投射映像の一側端付近において、当該一側端の内側の輝度（映像内側輝度）Ａと、当該一側端の外側の輝度（映像外側輝度）Ｂとを検出する（ステップ３４）。抽出された映像内側輝度Ａと、映像外側輝度Ｂとの差の絶対値β（＝｜Ａ−Ｂ｜）を算出する（ステップ３５）。
【００３９】
そして、αとβとの差の絶対値（｜α−β｜）が所定の閾値Ｘより大きいか否かを判定する（ステップ３６）。βとαとの差の絶対値が閾値Ｘ以内である場合には、投射映像がスクリーン２０より外側にあると判別し、ステップ３３に戻る。このようにして、ステップ３３〜ステップ３６の処理を繰り返し行う。
【００４０】
このようにして投射映像がズームダウンされていくことにより、投射映像がスクリーンの内側に入ると、スクリーン上の輝度とスクリーン外側での輝度とは異なるため、αとβとの差の絶対値（｜α−β｜）が所定の閾値Ｘより大きくなり、ステップ３６でＹＥＳとなる。ステップ３６でＹＥＳとなった場合には、現在のズーム率をスクリーンサイズに応じたズーム率として保持させる（ステップ３７）。そして、今回の画像サイズ自動調整モードを終了する。以後、ステップ３７で得られたズーム率で、入力映像が拡大されて表示されることになる。
【００４１】
〔４〕画像サイズ自動調整処理の第４実施例についての説明
図８は、画像サイズ自動調整処理の手順を示している。
【００４２】
第４実施例による画像サイズ自動調整処理は、画像サイズ自動調整処理の開始時において、図７に示すように、投射映像３０がスクリーン２０からはみ出していることを前提したものである。
【００４３】
映像が投射されているときに、画像サイズ自動調整モードが設定されると、ＣＰＵ１０は、単色ラインセンサ１２の検出信号に基づいて、投射映像の一側端付近において、当該一側端の内側（映像内部であって図７に符号Ｐａで示す位置）の輝度（映像内側輝度）Ａと、当該一側端の外側（映像の外部であって図７に符号Ｐｂで示す位置）の輝度（映像外側輝度）Ｂとを検出する（ステップ４１）。
【００４４】
抽出された映像内側輝度Ａと、映像外側輝度Ｂとの差の絶対値α（＝｜Ａ−Ｂ｜）を算出して保持する（ステップ４２）。次に、投射映像をｍステップ分（ｍ＞１）だけズームダウン（縮小）させる（ステップ４３）。つまり、映像信号をｍステップ分だけ縮小させる。
【００４５】
そして、ステップ４１と同様に、投射映像の一側端付近において、当該一側端の内側の輝度（映像内側輝度）Ａと、当該一側端の外側の輝度（映像外側輝度）Ｂとを検出する（ステップ４４）。抽出された映像内側輝度Ａと、映像外側輝度Ｂとの差の絶対値β（＝｜Ａ−Ｂ｜）を算出する（ステップ４５）。
【００４６】
そして、αとβとの差の絶対値（｜α−β｜）が所定の閾値Ｘより大きいか否かを判定する（ステップ４６）。βとαとの差の絶対値が閾値Ｘ以内である場合には、投射映像がスクリーン２０より外側にあると判別し、ステップ４３に戻る。このようにして、ステップ４３〜ステップ４６の処理を繰り返し行う。
【００４７】
このようにして投射映像がズームダウンされていくことにより、投射映像がスクリーンの内側に入ると、スクリーン上の輝度とスクリーン外側での輝度とは異なるため、αとβとの差の絶対値（｜α−β｜）が所定の閾値Ｘより大きくなり、ステップ４６でＹＥＳとなる。
【００４８】
ステップ４６でＹＥＳとなると、投射映像をｍステップ分より小さいｎステップ分（ｎ＜ｍ）だけズームアップ（拡大）させる（ステップ４７）。そして、ステップ４１と同様に、投射映像の一側端付近において、当該一側端の内側の輝度（映像内側輝度）Ａと、当該一側端の外側の輝度（映像外側輝度）Ｂとを検出する（ステップ４８）。抽出された映像内側輝度Ａと、映像外側輝度Ｂとの差の絶対値γ（＝｜Ａ−Ｂ｜）を算出する（ステップ４９）。
【００４９】
そして、上記ステップ４５において最後に算出されたβと上記ステップ４９で算出されたγとの差の絶対値（｜β−γ｜）が所定の閾値Ｙより大きいか否かを判定する（ステップ５０）。βとγとの差の絶対値が閾値Ｙ以内である場合には、投射映像がスクリーン２０より内側にあると判別し、ステップ４７に戻る。このようにして、ステップ４７〜ステップ５０の処理を繰り返し行う。
【００５０】
このようにして投射映像がズームアップされていくことにより、投射映像がスクリーンの外側にはみ出すと、スクリーン上の輝度とスクリーン外側での輝度とは異なるため、βとγとの差の絶対値（｜β−γ｜）が所定の閾値Ｙより大きくなり、ステップ５０でＹＥＳとなる。ステップ５０でＹＥＳとなった場合には、投射映像をｎステップ分だけズームダウン（縮小）させるとともに（ステップ５１）、このズームダウン後のズーム率をスクリーンサイズに応じたズーム率として保持させる（ステップ５２）。そして、今回の画像サイズ自動調整モードを終了する。以後、ステップ５２で得られたズーム率で、入力映像が拡大されて表示されることになる。
【図面の簡単な説明】
【００５１】
【図１】液晶プロジェクタの電気的構成を示すブロック図である。
【図２】液晶プロジェクタ本体の正面図である。
【図３】スクリーン上に投射された映像と、単色ラインセンサ１２の検出範囲を示す模式図である。
【図４】第１実施例による画像サイズ自動調整処理の手順を示すフローチャートである。
【図５】第２実施例による画像サイズ自動調整処理の手順を示すフローチャートである。
【図６】第３実施例による画像サイズ自動調整処理の手順を示すフローチャートである。
【図７】画像サイズ自動調整処理の開始時において、投射映像３０がスクリーン２０からはみ出していることを示す模式図である。
【図８】第４実施例による画像サイズ自動調整処理の手順を示すフローチャートである。
【符号の説明】
【００５２】
１  Ａ／Ｄ変換器
２  映像信号処理回路
３  フレームメモリ
１０  ＣＰＵ
１２  単色ラインセンサ
【図１】
2005114902.tif 000003
【図２】
2005114902.tif 000004
【図３】
2005114902.tif 000005
【図４】
2005114902.tif 000006
【図５】
2005114902.tif 000007
【図６】
2005114902.tif 000008
【図７】
2005114902.tif 000009
【図８】
2005114902.tif 000010